(57)【特許請求の範囲】
【請求項１】
テイ昇降装置とこれを作動する電動駆動装置及びテイ昇降装置と電動駆動装置の間の動力伝達を行う伝動部材により構成されるゴルフ練習場におけるテイ装置において、前記電動駆動装置は、テイを所望の高さに調整するテイ高さ調節モータと、光センサーの作動によりテイを最上位と最下位とに昇降させるテイ昇降モータを共に床上に設置し、前記両モータをレバーに接続し、前記両モータの回転により前記レバーの下端部を左右動させ、前記レバーの下端部を前記伝動部材に連結し、前記テイ昇降装置は、床下に埋設され、その外枠内に、端部が左右動することにより他端部が上下動する回動レバーを設置し、この回動レバーの他端部の上下動により、テイの高さの調整とテイの昇降を行い、前記伝動部材は、その端部は前記電動駆動装置のレバーに連結し、他端部は前記テイ昇降装置の前記回動レバーの端部と係合し、前記テイ高さ調節モータ又はテイ昇降モータの回転により、前記電動駆動装置のレバーを介して左右に摺動し、係合する前記テイ昇降装置の前記回動レバーの端部に左右動を伝達することによりテイ昇降装置と電動駆動装置の間の動力伝達を行うことを特徴とするゴルフ練習場におけるテイ装置。
【請求項２】
光センサーによるテイ昇降モータの回転は、前記光センサーがテイの昇降位置におけるショットマットの人工芝面のテイ孔上にボールが置かれたこと及びテイ上のボールがショットされなくなったこと検知することにより作動するものであり、テイ昇降モータにより最上位に押し上げられたテイをテイ高さ調節モータにより希望の高さ位置に調節することができることを特徴とする請求項１に記載のゴルフ練習場におけるテイ装置。
【請求項３】
電動駆動装置のレバーは溝付きレバーで、テイ高さ調節モータの調節円板及びテイ昇降モータの昇降円板のそれぞれの偏心位置に設けられたガイドローラが前記溝付きレバーの溝部に嵌入していることを特徴とする請求項１に記載のゴルフ練習場におけるテイ装置。
【請求項４】
テイ高さ調節モータと、テイ昇降モータを、共にモータ軸が水平になるように、上下方向に重ね状に設置したことを特徴とする請求項１に記載のゴルフ練習場におけるテイ装置。
【発明の詳細な説明】
【０００１】
【発明の属する技術分野】
本発明は、ゴルフ練習場におけるゴルフボールのテイ装置に関するものである。
【０００２】
【従来の技術】
近年新設のゴルの練習場には、ボールが自動的にテイアップされる装置、すなわち自動テイアップ装置が導入されてきている。
この自動テイアップ装置は、ボールの供給とテイアップとが連動されているので、ボールは全てテイアップされることになる。
テイショットとマット上のショット、すなわちドライバーによるショットと、ドライバー以外の他のクラブによるショットとの比率は、ゴルファーの上達程度や練習目的、又は個人差にもよるが、一般的には、テイショットの方が少ないと思われる。
そうだとすると、従来のテイアップ装置では、テイアップする必要がなくともテイアップしているのであるから、無駄な動力を消費していることになる。
【０００３】
従来の自動テイアップ装置は、ボールは打席床の地下パイプを通って供給され、自動昇降テイ上にボールは乗せられて、ショットマット上に上がってくるようになっている。
このような自動テイアップ装置は、地下にボールの配送管とテイの昇降装置とを埋設しなければならず、このような装置を設置することは、大掛かりな工事となり、これは専ら新設の練習場において、施工前から計画的に行われるものであり、既設の練習場での採用は、コンクリート床面の堀り込み工事を伴い、費用の面からも無駄と言わざるを得ない。
そして、埋設された自動昇降テイ装置は、モータや電気部品が組込まれているため、強風時に吹込んだ雨水の排出処理に、打席の外部に向かって排出管を埋設するので、更に工事費の増加は避けられなかった。
また、ボールをテイアップしてショットしたとき、テイの急激な折曲がりによるショットマットの人工芝の孔縁の変形により、ショットマットの交換の周期が早くなり、テイ自体の摩耗も早くなった。
【０００４】
このような観点から、本出願人は、既設のゴルフ練習場におけるゴルフボールのテイ昇降装置の設置において、床面を堀り下げて設置するテイ昇降装置部は機械部品のみで構成し、このテイ昇降装置部を駆動するモータや電気部品を組込んだ電動駆動装置部は床面上に設置し、これらの電動駆動装置部とテイ昇降装置部との動力の伝達は、床面上を摺動する伝達板で連係し、もって設備費の軽減と雨水による被害を少なくするために、さきに特願平９−２２４８４４号として特許出願をした。
【０００５】
上記の特許出願の内容は、概要次のような構成のものである。
すなわち、ショットマットに設けたテイの昇降孔上にゴルフボールをクラブベッドで誘導することにより、このボールを光センサーで検知し、ボールを乗せてテイを上昇させる構成と、この光センサーによるテイアップ装置に、ゴルフテイの高さ位置を選択するテイ調節装置を併設することにより、光センサーによるテイ昇降モータの回転によりテイを最上位と最下位の位置になるようにするとともに、テイ高さ調節モータによるテイの昇降運動を繰返すようにする構成のものである。
【０００６】
【発明が解決しようとする課題】
上記のような斬新なゴルフ練習場におけるテイ装置においても、テイを最上位と最下位に昇降させるテイ昇降装置のテイ昇降モータ及びこれと併設するテイの高さ位置を選択するテイの高さ位置調節装置のテイ調節モータを共にモータ軸が縦方向になるように設置するため、全体としての駆動装置部が大きくなり、またテイが最下位にある場合においても、その頂部はなお昇降テイ押え蓋の透孔の孔縁の縁盛部よりわずかでも突出しているため、長い使用でショットマットの人工芝が弱くなり、芝先でボールを支えることができなくなると、ボールのテイアップに支障をきたすおそれがあった。
【０００７】
本発明は、上記のような点に鑑みて、さきの発明に対し改良を加えたもので、その目的とするところは、ゴルフ練習場におけるテイ装置において、床上側のテイアップ装置を駆動する側の装置の膨大化を防ぐとともに、長い使用においても、常にテイアップの際に、ボールがテイ上に載るようにするにある。
【０００８】
【課題を解決するための手段】
上記の目的を達成するために、本発明にあっては、テイ昇降モータとテイ高さ調節モータとを共に床上に設置し、前記両モータをレバーに接続し、前記両モータの回転により前記レバーの下端部を左右動させ、前記レバーの下端部を前記伝動部材に連結し、前記テイ昇降装置は、床下に埋設され、その外枠内に、端部が左右動することにより他端部が上下動する回動レバーを設置、この回動レバーの他端部の上下動により、テイの高さの調整とテイの昇降を行い、前記伝動部材は、その端部は前記電動駆動装置のレバーに連結し、他端部は前記テイ昇降装置の前記回動レバーの端部と係合し、前記テイ高さ調節モータ又はテイ昇降モータの回転により、前記電動駆動装置のレバーを介して左右に摺動し、係合する前記テイ昇降装置の前記回動レバーの端部に左右動を伝達することによりテイ昇降装置と電動駆動装置の間の動力伝達を行うことにより問題点の解決を図っている。
【０００９】
すなわち、本発明は、テイ昇降装置とこれを作動する電動駆動装置及びテイ昇降装置と電動駆動装置の間の動力伝達を行う伝動部材により構成されるゴルフ練習場におけるテイ装置において、前記電動駆動装置は、テイを所望の高さに調整するテイ高さ調節モータと、光センサーの作動によりテイを最上位と最下位とに昇降させるテイ昇降モータを共に床上に設置し、前記両モータをレバーに接続し、前記両モータの回転により前記レバーの下端部を左右動させ、前記レバーの下端部を前記伝動部材に連結し、前記テイ昇降装置は、床下に埋設され、その外枠内に、端部が左右動することにより他端部が上下動する回動レバーを設置し、この回動レバーの他端部の上下動により、テイの高さの調整とテイの昇降を行い、前記伝動部材は、その端部は前記電動駆動装置のレバーに連結し、他端部は前記テイ昇降装置の前記回動レバーの端部と係合し、前記テイ高さ調節モータ又はテイ昇降モータの回転により、前記電動駆動装置のレバーを介して左右に摺動し、係合する前記テイ昇降装置の前記回動レバーの端部に左右動を伝達することによりテイ昇降装置と電動駆動装置の間の動力伝達を行うものである。また、光センサーによるテイの昇降モータの回転は、前記光センサーがテイの昇降位置におけるショットマットの人工芝面のテイ孔上にボールが置かれたこと及びテイ上のボールがショットされなくなったこと検知することにより作動するものであり、テイ昇降モータにより最上位に押し上げられたテイをテイ高さ調節モータにより希望の高さ位置に調節することができるものである。
【００１０】
また、電動駆動装置のレバーは溝付きレバーで、テイ高さ調節モータの調節円板及びテイ昇降モータの昇降円板のそれぞれの偏心位置に設けられたガイドローラが前記溝付きレバーの溝部に嵌入しているものである。さらに、テイ高さ調節モータと、テイ昇降モータを、共にモータ軸が水平になるように、上下方向に重ね状に設置する構成をとっている。
【００１１】
【発明の実施の形態】
本発明のゴルフ練習場におけるテイ装置は、テイ昇降装置とこれを作動する電動駆動装置及びテイ昇降装置と電動駆動装置の間の動力伝達を行う伝動部材により構成されるものであり、電動駆動装置は床上に設置されているため、雨水の吹き込みによる被害を防ぎ、テイ昇降装置は床下に埋設され、テイ昇降装置およびテイ昇降装置に電動駆動装置の動力伝達を行う伝動部材は、共に、機械部品のみで構成され電気系統は組み込まれていないから、雨水が入ることがあっても操作に支障をきたすおそれは少ない。
【００１２】
既設のゴルフ練習場における本発明の装置の設置工事は、テイ昇降装置を床下に埋設するに当たり、床面の堀り下げを、例えば道路舗装工事やコンクリート工事において行うテストピースの採取方法であるコアボーリングを行えば簡単に設置用穴を穿設することができる。この方法をとれば、２階、又は３階の打席床においても容易に設置することができる。モータや電気部品を組み込んだ電動駆動装置は、床上に設置し、電動駆動装置とテイ昇降装置とを動力伝達する伝動部材に伝達板を用いれば、床面上を摺動するだけであるから、床面を堀り下げる必要はなく、伝達板上にカバーをかければよい。また、床面にガイド溝を設け、この溝中を伝動板が摺動するようにし、ガイド溝の上にカバーをかけるようにしてもよい。電動駆動装置において、テイ昇降モータ、及びテイ高さ調節モータは、これを上下方向に重ね状に設置することにより、その装置の膨大化を防ぐようにする。
【００１３】
【実施例】
以下、本発明の実施例を図面に基づいて説明する。
図１は、本発明のゴルフ練習場におけるテイ装置を打席に設置した全体の概略を示すものである。
この全体装置は、コンクリート等の床面（Ａ）上に設置されるものであり、スタンスマット（ａ）はショット枠（ｂ）に載置されており、この前方には、ショット枠（ｂ）内の区画された位置にショットマット（ｃ）とゴルフボール（Ｂ）の収容部（ｄ）とが設けられている。そのボールの収容部（ｄ）の前方のショット枠（ｂ）外には、テイ昇降装置を駆動する電動駆動装置（ｅ）が設置され、この電動駆動装置（ｅ）には、テイの高さを調節するための調節スイッチ板（ｆ）と光線孔（２）とが設けられている。
なお、ゴルフボール（Ｂ）の入って籠（Ｃ）が示されている。
【００１４】
ショットマット（ｃ）のテイ孔（１）より昇降テイ（ｇ）が突出しており、この昇降テイ（ｇ）上にゴルフボール（Ｂ）が載っている。このゴルフボール（Ｂ）はショットマットのテイ孔（１）上にあるとき、電動駆動装置（ｅ）のボックス状カバー（ｈ）に設けた光線孔（２）からの光線により検知されて電動駆動装置（ｅ）の電動駆動部の作動によって、後述する床面（Ａ）下に設置されているテイ昇降装置（ｉ）内の昇降テイ（ｇ）が上昇してボール（Ｂ）を載せてテイアップする。
【００１５】
図２は、図１の分解状態を示すもので、ショット枠（ｂ）にはショットマット（ｃ）を載置する凹窪状のショットマット載置部（ｃ'）があり、この載置部（ｃ'）には、昇降テイ（ｇ）が突出する透孔（３）が設けられている。この透孔（３）には後述する昇降テイ（ｇ）に嵌挿されてこれを保護するプロテクタが下方より嵌挿されるようになっている。床面（Ａ）上にある電動駆動装置（ｅ）と床面（Ａ）下にあるテイ昇降装置（ｉ）とは、伝達板等の伝動部材（ｊ）で連係されている。テイ昇降装置（ｉ）を床面（Ａ）下に埋設するテイ昇降装置埋設穴（ｉ'）には、これに連結されるガイド溝（ｊ'）が床面（Ａ）に穿設されており、このガイド溝（ｊ）を覆うガイドカバー（ｊ"）がある。このガイド溝（ｊ'）はなくとも、床面（Ａ）上の伝動部材（ｊ）をガイドカバー（ｊ"）で覆うようにすればよい。また、テイ昇降装置（ｉ）の上面を覆う昇降テイ押え蓋（ｋ）には、さきのショットマット載置部（ｃ'）に穿設された透孔（３）と同様な透孔（４）が設けられている。
【００１６】
図３は、電動駆動装置（ｅ）のボックス状カバー（ｈ）を取り外したところの斜視図である。電動駆動装置（ｅ）は、基台（ｐ）上にテイ昇降の高さ調節のテイ高さ調節モータ（ｍ1 ）及びテイ昇降のテイ昇降モータ（ｍ2 ）が、モータ軸を水平方向にして上下方向に重ね状に設置されており、これらのテイ高さ調節モータ（ｍ1 ）及びテイ昇降モータ（ｍ2 ）のそれぞれ軸端に設けられた調節円板（ｎ1 ）及び昇降円板（ｎ2 ）には、それぞれ偏心位置にガイドローラ（５）及び（６）がある。これらガイドローラ（５）及び（６）は溝付きレバー（ｑ）の溝部に嵌入しており、この溝付きレバー（ｑ）の下端部は、伝動部材（ｊ）の端部とボールベアリング（ｒ）、（ｒ）のピンにて連結されており、調節円板（ｎ1 ）及び昇降円板（ｎ2 ）の回転により溝付きレバー（ｑ）を介して伝動部材（ｊ）を摺動し、もってテイ昇降装置（ｉ）の昇降テイ（ｇ）をショットマット（ｃ）面より出没するようになっている。基台（ｐ）には、さらにテイ高さ調節スイッチ（ｓ）が設置されており、このスイッチ（ｓ）はボックス状カバー（ｈ）のスイッチ孔（７）と対設しており、ボックス状カバー（ｈ）の前面に設けた可動の調節スイッチ板（ｆ）で作動されるようになっている。また、ボックス状カバー（ｈ）には、光線孔（２）の下方に伝動部材（ｊ）用の切欠部（２ａ）が設けられている。さらに、光線を遮らない位置に光センサー（ｔ）が設けられている。
【００１７】
図４は、テイ昇降装置（ｉ）及び伝動部材（ｊ）を分解したところを示すもので、斜視図、テイ高さ調節モータ（ｍ1 ）の調節円板（ｎ1 ）の偏心軸（８）にガイドローラ（５）が、またテイ昇降モータ（ｍ2 ）の昇降円板（ｎ2 ）の偏心軸（９）にガイドローラ（６）がそれぞれ嵌設されるもので、これらのガイドローラ（５）及び（６）は溝付きレバー（ｑ）に嵌合されるものである。昇降円板（ｎ2 ）の外周面には、上限停止リミットスイッチ（ｕ1 ）に係合する上限ドグ（１０）が、また溝付きレバー（ｑ）の上面には、下限停止リミットスイッチ（ｕ2 ）に係合する下限ドグ（１１）が突設されている。
【００１８】
溝付きレバー（ｑ）の下端の蛙又状部には伝動部材（ｊ）を構成するヨーク板（１２）を挿入するとともに、溝付きレバー（ｑ）の両側に当てがったボールベアリング（ｒ）、（ｒ）に連結ピン（１３）をヨーク板（１２）の長孔（１４）を介して挿通することにより、溝付きレバー（ｑ）とヨーク板（１２）とを連結するものである。ヨーク板（１２）の端部のヨーク部（１５）には、長ナット（１６）の端部が嵌入されてピン（１７）で連結されるもので、この長ナット（１６）の他端のねじ穴（１８）には、先端に鉤部（１９）を有する伝達板（２０）に設けた調節ねじ（２１）が螺入されるもので、これらで構成される伝動部材（ｊ）の長さを調節するようになっている。また、この伝動部材（ｊ）としては、例えば自転車等のブレーキ用のチューブ入りワイヤと同様なものであってもよい。
【００１９】
図５は電動駆動装置（ｅ）が基台（ｐ）上に組立てられたもので、テイ高さ調節モータ（ｍ1 ）及びテイ昇降モータ（ｍ2 ）は上下方向の重ね状に、基台（ｐ）の取付け板（ｐ1 ）に長ボルト（２２）とナット（２３）とで取付けられており、ボールベアリング（ｒ）、（ｒ）は溝付きレバー（ｑ）の揺動にて基台（ｐ）面より浮き上がらないように上方よりベアリング押え（２４）、（２４）で押えられている。このベアリング押え（２４）、（２４）は、基台（ｐ）よりの突設の支持片（２５）、（２５）にビス止めされている。さらに、溝付きレバー（ｑ）はガイドローラ（５）及び（６）より外方に外れないように、基台（ｐ）に設けた取付け板（ｐ2 ）にビス止めされた鉤片の止め板（２６）を当接している。図６は、テイ高さ調節スイッチ（ｓ）と調節スイッチ板（ｆ）との関係を示したものである。
【００２０】
図７はテイ昇降装置（ｉ）を分解状態としたもので、上方より昇降テイ押え蓋（ｋ）は上蓋（ｋ1 ）と下蓋（ｋ2 ）とよりなるもので、この両蓋（ｋ1 ）、（ｋ2 ）には鍔付きプロテクタ（ｖ）の筒部（２６）が嵌入する透孔（４ａ）及び鍔部（２７）が嵌入する透孔（４ｂ）が、またこれらの両蓋（ｋ1 ）、（ｋ2 ）を下方の外枠筒（ｗ）のタップ部（２８）にボルト止めするための透孔（２９）、（２９）が設けられ、下蓋（ｋ2 ）には伝動部材（ｊ）の伝達板（２０）が摺動する切欠部（３０）が設けられている。プロテクタ（ｖ）と固定キャップ（ｘ）との間にはスプリング（３１）が介在するが、これはその上端が鍔付きプロテクタ（ｖ）の下面に当接し、その下端が固定キャップ（ｘ）の鍔部（３２）上に当接するようになっている。
【００２１】
固定キャップ（ｘ）は、ローラ杆（ｙ）上に固定されたテイ台座（３３）上に載置の昇降テイ（ｇ）を挿通してスプリング（３１）の弾発にてローラ杆（ｙ）と一体化状態となっている。このローラ杆（ｙ）には、その両端にローラ（３４）、（３４）が、また互いの反対する側にはガイド筒（３５）、（３５）が設けられており、このガイド筒（３５）、（３５）は外枠筒（ｗ）の底板より突設のガイド棒（３６）、（３６）に嵌挿してローラ杆（ｙ）が昇降するようになっている。
【００２２】
外枠筒（ｗ）の底板には軸受台（３７）が固定されており、その上に軸受（３８）がボルト（３９）で固定されるようになっている。この軸受（３８）の軸受孔（３８’）と回動レバー（ｚ）を構成する引きレバー（４０）、（４０）の軸孔（４１）、（４１）にレバーピン（４２）を通して枢支するようになっており、回動レバー（ｚ）を構成するコの字形レバー（４３）のフォーク部（４４）、（４４）はさきのローラ杆（ｙ）のローラ（３４）、（３４）に下方に係合するものである。
引きレバー（４０）、（４０）の先端間には引きローラ（４５）があり、この引きローラ（４５）に前記した伝動部材（ｊ）の伝達板（２０）の先端の鉤部（１９）を引掛け、電動駆動装置（ｅ）側よりの作動で伝動部材（ｊ）を摺動し、昇降テイ（ｇ）を昇降するようになっている。
【００２３】
図７には、テイ昇降装置（ｉ）の分解状態のものを示したが、これを組立て、さらにこれをショットマット（ｃ）部の床面（Ａ）下に埋めた状態のところを図８、図９に示している。
昇降テイ押え蓋（ｋ）の上蓋（ｋ1 ）の下面には、スプリング（３１）をガイドするためのガイド環（４６）が下蓋（ｋ2 ）の透孔（４ｂ）を通して下方に突設されており、これによりスプリング（３１）のスムーズな伸縮を助けるようになっている。
【００２４】
図８は、伝動駆動装置（ｅ）におけるテイ昇降モータ（ｍ2 ）の回転により昇降円板（ｎ2 ）の上限ドグ（１０）が上限停止リミットスイッチ（ｕ1 ）に当接したとき、すなわち溝付きレバー（ｑ）の回動により伝動部材（ｊ）の伝達板（２０）を介して回動レバー（ｚ）の引きローラ（４５）をスプリング（３１）に抗して引くことにより、昇降テイ（ｇ）を最上位に押し上げたときの状態を示しており、また図９は、昇降円板（ｎ2 ）がさらに回転して溝付きレバー（ｑ）の回動により、これに突設の下限ドグ（１１）が下限リミットスイッチ（ｕ2 ）に接した時、溝付きレバー（ｑ）に連係の伝動部材（ｊ）の伝達板（２０）が昇降テイ押え下板（ｋ2 ）の切欠部（３０）内を戻ることにより、圧縮されていたスプリング（３１）が伸長し、これにより昇降テイ（ｇ）は最下位に戻った状態を示している。
【００２５】
この図９に示す状態において、昇降テイ（ｇ）の頂部は、プロテクタ（ｖ）の頂部よりわずかに下位にして、プロテクタ（ｖ）の頂部は、ショットマット（ｃ）の人工芝の中に位置している。
図１０は、昇降テイ（ｇ）が最上位と最下位の位置にある場合を、昇降テイ（ｇ）の中心を通る面で切断して１つの図面に表したものであり、図１１は、外枠筒（ｗ）の底板より突設したガイド棒（３６）にローラ杆（ｙ）に付設したガイド筒（３５）、（３５）が外嵌されている状態を、図１２は、昇降テイ押え蓋（ｋ）を、図１３は、昇降テイ押え蓋（ｋ）を取り外した外枠筒（ｗ）内をそれぞれ示している。
【００２６】
図１４は、ボール（Ｂ）が昇降テイ（ｇ）上にないときの溝付きレバー（ｑ）と伝動部材（ｊ）との関係を示すもので、テイ昇降モータ（ｍ2 ）の昇降円板（ｎ2 ）の回転で、溝付きレバー（ｑ）が回動して、それの下限ドグ（１１）が下限停止リミットスイッチ（ｕ2 ）と当接してテイ昇降モータ（ｍ2 ）の回転を停止し伝動部材（ｊ）を介して昇降テイ（ｇ）を最下位の位置で停止する。
図１５は、ボール（Ｂ）が昇降テイ（ｇ）上にあるときの溝付きレバー（ｑ）と伝動部材（ｊ）との関係を示すもので、テイ昇降モータ（ｍ2 ）の昇降円板（ｎ2 ）の回転によって、その円板（ｎ2 ）上の上限ドグ（１０）が上限停止リミットスイッチ（ｕ1 ）に当接して、昇降円板（ｎ2 ）の回転を停止し、伝動部材（ｊ）を介し昇降テイ（ｇ）を最上位の位置で停止する。
【００２７】
図１６において、昇降円板（ｎ2 ）のガイドローラ（６）が下位リミットスイッチ（ｕ2 ）の位置ロ’点にあるときは、連結ピン（１３）はｘ1 位置にあり、昇降テイ（ｇ）は最下位の位置、すなわち外枠筒（ｗ）内に落ち込み、ショットマット（ｃ）のテイ孔（１）上にはゴルフボール（Ｂ）はなく、ボール（Ｂ）がゴルフクラブで誘導されてテイ孔（１）上にくると、光センサー（ｔ）でこれを検知し、テイ昇降モータ（ｍ2 ）が作動して、これの昇降円板（ｎ2 ）の回転によりガイドローラ（６）が上位リミットスイッチ（ｕ1 ）の位置ロ点にくると、連結ピン（１３）はｘ点に移動する。このとき伝動部材（ｊ）は引くことになり、伝達板（２０）を介して昇降テイ（ｇ）は最高の位置に突出し、ショットマット（ｃ）のテイ孔（１）上のボール（Ｂ）をテイアップする。
【００２８】
テイアップのボール（Ｂ）をショットすると、ボール検知用の光センサー（ｔ）が作動して昇降円板（ｎ2 ）は回転し、下位リミットスイッチ（ｕ2 ）のロ’点で停止する。このとき、連結ピン（１３）は、ｘ点からｘ1 点に戻る。テイ孔（１）上にゴルフボール（Ｂ）があるときは、光センサー（ｔ）により昇降円板（ｎ2 ）が回転し、上位リミットスイッチ（ｕ1 ）のロ点で停止するから、連結ピン（１３）はｘ点に位置し、ショットを待つ。
すなわち、テイ孔（１）上のゴルフボール（Ｂ）のあるなしにより、昇降テイ（ｇ）はボール（Ｂ）を最高の位置ｘ点にテイアップしたり、又は昇降テイ（ｇ）は最下位の位置ｘ1 点に落ち込む。このように、昇降テイ（ｇ）は、ｘ点とｘ1 点との間で伝動部材（ｊ）が摺動して昇降テイ（ｇ）は昇降するようになっている。
【００２９】
昇降テイ（ｇ）をｘ点〜ｘ1 点間の任意の高さの位置で停止しようとするには、次のようにする。
図１において、調節スイッチ板（ｆ）を、ゴルフクラブ等で押すと、テイ高さ調節モータ（ｍ1 ）が回転し、調節スイッチ板（ｆ）からクラブを離して押圧を解くと回転は停止する。
【００３０】
昇降円板（ｎ2 ）の回転によりガイドローラ（６）が上位リミットスイッチ（ｕ1 ）の位置のロ点にあるとき、調節スイッチ板（ｆ）の押圧によって調節円板（ｎ1 ）を回転して、それのガイドローラ（５）をイ点から反対のイ'点に移動させると、連結ピン（１３）は、ｘ2 点よりｘ点に移動する。
【００３１】
したがって、調節円板（ｎ1 ）の回転で、ガイドローラ（５）の位置がイ点からイ’点、またイ’点からイ点と移動することにより、連結ピン（１３）はｘ2 点からｘ点、ｘ点からｘ2 点と移動することになり、調節スイッチ板（ｆ）を押圧し続けると、調整円板（ｎ1 ）は回転を続け、連結ピン（１３）はｘ点とｘ2 点との間を往復動することになり、昇降テイ（ｇ）もｘ点とｘ2 点に相当する高さにおいて昇降する。
【００３２】
したがって、昇降テイ（ｇ）の昇降高さをみながら、希望の高さの位置で調節スイッチ板（ｆ）の押圧を解くと、テイ高さ調節モータ（ｍ1 ）の回転は停止し、昇降テイ（ｇ）の高さは、その位置でセットされる。昇降テイ（ｇ）上にゴルフボール（Ｂ）がないときは、そのまま昇降テイ（ｇ）は最下位に戻るので、このような操作を行う場合は、ゴルフボール（Ｂ）をテイアップした状態で行うとより正確に行える。
一旦、テイ高さ調節モータ（ｍ1 ）の回転によって昇降テイ（ｇ）の高さの位置がセットされると、その後のゴルフボール（Ｂ）をテイ孔（１）上に誘導してのテイアップは、常に希望のセットされた高さの位置となる。
【００３３】
以上のようにテイ昇降モータ（ｍ2 ）の作動は、ゴルフボール（Ｂ）の昇降テイ（ｇ）によるテイアップを、またテイ高さ調節モータ（ｍ1 ）の作動は、昇降テイ（ｇ）の昇降位置の高さを設定するものである。
なお、ｘ1 点とｘ3 点との間は、ｘ1 点が昇降テイ（ｇ）の最下位の位置であるから、伝動部材（ｊ）は、それ以上ｘ3 点側に移動することはできず、このため連結ピン（１３）は、ヨーク板（１２）の長孔（１４）内を移動することになる。
【００３４】
【発明の効果】
本発明のゴルフ練習場におけるテイ装置は、既設のゴルフ練習場にあって、その打席床に、テイ昇降装置を埋設するための穴を穿設するだけで容易に設置することができるものであるから、２階打席、３階打席にあっても設置することができ、雨水による故障も少なく、設置費用を低廉に押えることができる。
【００３５】
ドライバーでショットする場合には、ゴルフボールをゴルフクラブでショットマットのテイ孔上に誘導するだけで、ボールは光センサーにて検知され、テイの上昇により容易にして確実にテイアップすることができる。
また、そのテイアップの高さの位置を変更するときは、ゴルフクラブでスイッチ板を押圧することにより、昇降を繰返すテイに対し、その所望の高さの位置にてスイッチ板の押圧を解くことにより、テイはその位置に停止するから、テイの高さを容易に設定することができる。
一度テイの高さの位置を設定すると、その後のボールのテイアップは、常にそのセットされた位置になるから、プレーヤーは、従来のようにショットマットをめくって、他のテイと取替えるという煩わしさはなく、常に良好な状態でショットすることができる。
【００３６】
特に本発明にあっては、電動駆動装置部を構成するテイ高さ調節モータ及びテイ昇降モータをその軸方向が水平になるように上下方向に重ね状に構成し、これらのモータの回転を調節円板及び昇降円板の偏心位置に設けたガイドローラを介して溝付きレバーの下端よりテイアップ装置の作動を取り出すように構成したから、本出願人のさきに特許出願したものよりも装置自体を低く押さえることができ、全体としてコンパクトにすることができる。
一般にボールをテイアップするのは、必ずしもウッドクラブを使用するとは限らず、アイアンクラブを使用する場合において行うゴルファーも多い。この場合はテイの高さを低目にして行うが、アイアンクラブでテイ自体をダウンブローによる打ち方をする。
このような場合において、本発明におけるテイ昇降装置は、昇降テイの固定を下方よりスプリングで支持しているから、昇降テイが高くなる程スプリングの圧縮力が強くなって、ウッドクラブより受ける衝撃に対してもよく耐え、また昇降テイが低くなる程スプリングによる圧縮力が弱くなるから、アイクラブより受ける衝撃をやわらげることができ、いずれの場合にも、このスプリングの作用によって昇降テイの損傷を受けにくくしている。
【００３７】
昇降テイの最下位時には、その先端がショットマットの上面よりも下がっているので、使用によって人工芝の葉が弱ってくると、ボールを昇降テイ上に誘導することがむずかしくなることがある。
このような場合、本発明の装置にあっては、ボールを昇降テイ上に誘導し易くするために、昇降テイに嵌設したプロテクタは、昇降テイ外径寸法より大きく、しかもその頂面が昇降テイの頂面より若干高いので、ボールが乗り易く、常にボールをテイアップすることができる。
また、人工芝が弱っても昇降テイはプロテクタでカバーできるのでショット時に昇降テイの急激な変形を保護することができる。
プロテクタも昇降テイの上昇によるスプリングの圧縮によって強く支持されるようになる。
以上のように、プロテクタによって常に昇降テイは保護されているから、昇降テイの位置ずれを防いで、常に光センサーによる検知を確実にすることができる。また、昇降テイの損傷を防ぐとともに、ショットマットの交換の周期の早まりを押さえることができる。
【図面の簡単な説明】
【図１】本発明の装置の設置状態の斜視図
【図２】同上を分解した状態の斜視図
【図３】ボックス状カバーを取外した電動駆動装置部を含む要部の斜視図
【図４】さらに要部を分解した状態の斜視図
【図５】電動駆動装置の正面図
【図６】ボックス状カバーに調節スイッチ板を取り付けた部分断面図
【図７】テイ昇降装置部の分解斜視図
【図８】昇降テイが最上位にあるときのテイ昇降装置部と伝動部材との関連を示す断面図
【図９】同上において昇降テイが最下位にあるときの断面図
【図１０】同上と９０度異なる側からみた昇降テイが最上位と最下位にあるときの状態を１つの図面に表したもの
【図１１】昇降テイが最上位にあるときの正面図
【図１２】昇降テイ押え蓋の平面図
【図１３】昇降テイ押え蓋を外して外枠筒内の平面図
【図１４】調節円板、昇降円板、溝付きレバー、伝動部材との関係を示す正面図
【図１５】同上の異なる状態の正面図
【図１６】同上の関係を示す線図的な説明図
【符号の説明】
Ａ          床面
Ｂ          ゴルフボール
Ｃ          籠
ａ          スタンスマット
ｂ          ショット枠
ｃ          ショットマット
ｄ          ボール収容部
ｅ          電動駆動装置
ｆ          調節スイッチ板
ｇ          昇降テイ
ｈ          ボックス状カバー
ｉ          テイ昇降装置
ｊ          伝動部材
ｊ’        ガイド溝
ｊ”        ガイドカバー
ｋ          昇降テイ押え蓋
ｋ1         同上上蓋
ｋ2         同上下蓋
ｍ1         テイ高さ調節モータ
ｍ2         テイ昇降モータ
ｎ1         調節円板
ｎ2         昇降円板
ｐ          基台
ｑ          溝付きレバー
ｒ          ボールベアリング
ｓ          テイ高さ調節スイッチ
ｔ          光センサー
ｕ1         上限停止リミットスイッチ
ｕ2         下限停止リミットスイッチ
ｖ          プロテクタ
ｗ          外枠筒
ｘ          固定キャップ
ｙ          ローラ杆
ｚ          回動レバー
１          テイ孔
２          光線孔
５、６      ガイドローラ
８、９      偏心軸
１０        上限ドグ
１１        下限ドグ
１３        連結ピン
１４        ヨーク部
１９        鉤部
２０        伝達板
３０        切欠部
３１        スプリング
３３        テイ台座
３４        ローラ
３５        ガイド筒
３６        ガイド棒
４０        引きレバー
４３        コの字形レバー
４４        フォーク部
４５        引きローラ
４６        ガイド環
【図１】
0004224159.tif 000002
【図２】
0004224159.tif 000003
【図３】
0004224159.tif 000004
【図４】
0004224159.tif 000005
【図５】
0004224159.tif 000006
【図６】
0004224159.tif 000007
【図７】
0004224159.tif 000008
【図８】
0004224159.tif 000009
【図９】
0004224159.tif 000010
【図１０】
0004224159.tif 000011
【図１１】
0004224159.tif 000012
【図１２】
0004224159.tif 000013
【図１３】
0004224159.tif 000014
【図１４】
0004224159.tif 000015
【図１５】
0004224159.tif 000016
【図１６】
0004224159.tif 000017